(57)【要約】      （修正有）【課題】土踏まずのアーチ高を簡便にかつ短時間に推し測ることができるアーチ測定具を提供する。【解決手段】クロミック材料を有する足載せ板１１の踵部中心接地部Ｐに、足指方向へ延びる紐１２が取り付けられている。足接地部のクロミック材料の変色による足形取得後、直ぐに紐を踵部中心から土踏まずの縁、さらに指へ延ばすことにより、内側縦アーチ高を簡便にかつ短時間に推し測ることができる。紐の先端部にマグネット１３ａが取り付けられ、足載せ板の足指方向端部には鉄板１３ｂが取り付けられているのが好ましい。【選択図】図１
0003214280.tif 000002
【実用新案登録請求の範囲】
【請求項１】
クロミック材料を有する足載せ板の踵部中心接地部に、足指方向へ延びる紐が取り付けられていることを特徴とする土踏まずのアーチ測定具。
【請求項２】
前記紐が両足分それぞれ取り付けられていることを特徴とする請求項１記載の土踏まずのアーチ測定具。
【請求項３】
前記クロミック材料が、サーモクロミック材料及びピエゾクロミック材料であることを特徴とする請求項１又は２記載の土踏まずのアーチ測定具。
【請求項４】
前記クロミック材料を有する足載せ板に、板状又はブロック状の踵位置表示部が形成されていることを特徴とする請求項１〜３のいずれか１項記載の土踏まずのアーチ測定具。
【請求項５】
前記紐の先端部にはマグネットが取り付けられ、かつ足載せ板の足指方向端部には鉄板が取り付けられていることを特徴とする請求項１〜４のいずれか１項記載の土踏まずのアーチ測定具。
【請求項６】
前記クロミック材料を有する足載せ板に、足形枠線が形成されていることを特徴とする請求項１〜５のいずれか１項記載の土踏まずのアーチ測定具。
【考案の詳細な説明】
【技術分野】
【０００１】
本考案は、土踏まずのアーチ高を簡便にかつ短時間に推し測ることができるアーチ測定具に関する。
【背景技術】
【０００２】
ヒトの足は特徴的なアーチ構造を有している。アーチ構造は、立位や歩行において地面からの衝撃を吸収し荷重を分散する重要なスプリングの役割を担っている。足アーチは内側縦アーチ、外側縦アーチ、横アーチの３つで構成され、特に内側縦アーチは土踏まずのアーチとも呼ばれ、衝撃吸収機能の点から臨床上重要視されている。
【０００３】
足アーチの評価にはフットプリントを使用した評価が行われている。フットプリントによる評価では、接地足底面の足形を取り、そのサイズ等を測る。接地足形の踵部中心と土踏まずの縁及び指を結ぶ直線の傾き具合と内側縦アーチ高率（舟状骨高／足長）との間には相関関係があることが知られ、フットプリントで求めた当該踵部中心と土踏まずの縁及び指を結ぶ直線の傾き具合に基づいて内側縦アーチ高率を分類する分類法が提唱されている（例えば、非特許文献１参照）。この分類法によれば、簡便に内側縦アーチ高を推し測れるため、フットプリントは、主にインソール（靴の中敷）を決定する場面において広く利用されている。
【０００４】
接地足形の取り方、踵部中心と土踏まずの縁及び指を結ぶ直線の傾き具合を調べる方法としては、インクやクロミズム機能を持つ材料を用いて足形を取得した後、当該足形にメジャーや定規（スケール）をあてる方法が一般的である。
しかしながら、従来のように足形にメジャーや定規をあてる方法では測定の迅速さに欠けると云う問題があった。また、メジャーや定規（スケール）をあてる方法では、クロミズムのように足形が短時間で消失する方法においては左右順次測定するため足形の取得自体片足ずつ行うことが多かったが、アーチ構造を正確に把握する上では左右同時に足形を取得し、測定することが望ましいのが実状であった。
【先行技術文献】
【非特許文献】
【０００５】
【非特許文献１】「足の事典」山崎信寿編集  朝倉書店
【考案の概要】
【考案が解決しようとする課題】
【０００６】
本考案は、上記の如き従来の問題と実状に鑑みてなされたものであり、土踏まずのアーチ高を簡便にかつ短時間に推し測ることができるアーチ測定具を提供することを課題としている。
【課題を解決するための手段】
【０００７】
本考案者は、上記の課題を解決すべく鋭意検討を重ねた結果、接地足形を取得するためのクロミック材料を有する足載せ板の踵部中心接地部に、足指方向へ延びる紐を取り付ければ、極めて良い結果が得られることを見い出し、本考案を完成した。
【０００８】
すなわち、本考案は、クロミック材料を有する足載せ板の踵部中心接地部に、足指方向へ延びる紐が取り付けられていることを特徴とする土踏まずのアーチ測定具により上記課題を解決したものである。
【考案の効果】
【０００９】
本考案によれば、接地足形を取得するためのクロミック材料を有する足載せ板の踵部中心接地部に足指方向へ延びる紐が取り付けられているので、足接地部のクロミック材料の変色による足形取得後、直ぐに当該紐を踵部中心から土踏まずの縁、さらに指へ延ばすことができる。これにより、内側縦アーチ高を簡便にかつ短時間に推し測ることができる。
また、左右の足同時に接地足形を取得しても、それぞれの踵部中心接地部に取り付けられた紐を延ばすことにより、左右の踵部中心と土踏まずの縁と指を結ぶ直線の傾き具合を調べることができるので、両足の内側縦アーチ高を正確に推し測ることができる。
【図面の簡単な説明】
【００１０】
【図１】本考案土踏まずのアーチ測定具の平面図。
【考案を実施するための形態】
【００１１】
以下本考案の実施の形態を図面と共に説明する。
【００１２】
本考案土踏まずのアーチ測定具の実施の形態を示す図１において、１０は土踏まずのアーチ測定具、１１はクロミック材料を有する足載せ板、１２は当該足載せ板１１の踵部中心接地部Ｐに取り付けられた足指方向へ延びる紐である。当該紐１２は、ゴム状であってもよい。
【００１３】
足載せ板１１が有するクロミック材料は、熱や圧力等の外部からの刺激によって、色・蛍光等の光物性が可逆的に変化する機能を持つ材料であり、特にサーモクロミック材料、ピエゾクロミック材料が好適なものとして挙げられる。クロミック材料を有する足載せ板としては、例えば、ソフソールのサイズ選択ツール（ミューラージャパン株式会社製）等がある。クロミック材料を有する足載せ板１１に、踵部中心接地部Ｐに踵部中心をあわせて裸足の足底面を接地させることで、その熱や圧力により足形を取得することができる。当該足形は短時間で消失するが、足形取得後直ぐに紐１２を土踏まずの縁、さらに指へ延ばすことができるので、踵部中心と土踏まずの縁と指を結ぶ直線の傾き具合を調べるのは容易である。
【００１４】
紐１２の先端部にはマグネット１３ａが、また、足載せ板１１の足指方向端部には鉄板１３ｂが取り付けられている。紐１２を延ばした後、足載せ板１１の足指方向端部の踵部中心と土踏まずの縁と指を結ぶ直線の位置に当該マグネット１３ａを鉄板１３ｂ上に磁力で貼り付けることで、紐の位置の見誤りや位置ずれを防止できるので、正確な測定をする上で有利である。
【００１５】
足載せ板１１の踵部中心接地部Ｐには、踵の接地位置を示す踵位置表示部１４が形成されている。当該踵位置表示部１４は、線表示または点表示であってもよいが、１〜５ｃｍ程度の高さの板状やブロック状とするのが、踵部中心接地部Ｐに踵部中心を位置ズレなくあわせ易いので特に有利である。板状又はブロック状の踵位置表示部１４を形成する場合は、当該踵位置表示部１４の一部に凹部を設けて当該凹部に紐１２を取り付けるのが、踵接地時に紐１２が支障とならず望ましい。
【００１６】
また、足載せ板１１には、足を接地する際の目安となる足形枠線１５が表示されている。
【００１７】
図１に示すように、本考案土踏まずのアーチ測定具のクロミック材料を有する足載せ板１１は、紐１２が両足分それぞれ取り付けられていることが望ましい。左右順次足形を取得するのではなく、両足同時に取得し、左右それぞれの踵部中心と土踏まずの縁と指を結ぶ直線の傾き具合を調べることで、内側縦アーチ高を正確に推し測ることができる。
【符号の説明】
【００１８】
１０：土踏まずのアーチ測定具
１１：クロミック材料を有する足載せ板
１２：紐
１３ａ：マグネット
１３ｂ：鉄板
１４：踵位置表示部
１５：足形枠線
Ｐ：踵部中心接地部
【図１】
0003214280.tif 000003